(57)【要約】【課題】ボルト体の取着において、挿入口へのボルト体の挿入を容易とし、挿入口への挿入後は、ボルト体の端部をコンクリートと接触することなく円滑に螺着部に導き、もって、ボルト体をコンクリートに埋設されたインサートに作業性良く取着する。【解決手段】コンクリート面６５から離間して設けられ、ボルト体６６が螺着される螺着部１３と、コンクリート打設時にコンクリート型枠に当接する当接面２４と、前記当接面２４に設けられ、前記ボルト体６６の端部６７を前記当接面２４側から前記螺着部１３側に挿入可能で、前記螺着部１３より大きい開口を有する挿入口２５と、前記挿入口２５と前記螺着部１３との間に傾斜して設けられ、前記ボルト体６６の端部６７が前記挿入口２５から挿入されて該ボルト体６６が螺回動された際、前記ボルト体６６の端部６７を前記螺着部１３に向けて移動させるべく案内する案内面２８とを備えた。【選択図】図１４
2008075396.tif 000002
【特許請求の範囲】
【請求項１】
コンクリート内に埋設され、ボルト体が取着されるインサートであって、
コンクリート面から離間して設けられ、ボルト体が螺着される螺着部と、
コンクリート打設時にコンクリート型枠に当接するとともに前記型枠除去後はコンクリート面に露出する当接面と、
前記当接面に設けられ、前記ボルト体の端部を前記当接面側から前記螺着部側に挿入可能で、前記螺着部より大きい開口を有する挿入口と、
前記挿入口と前記螺着部との間に傾斜して設けられ、前記ボルト体の端部が前記挿入口から挿入された際、前記ボルト体の端部を前記螺着部に向けて移動させるべく案内する案内面と
を備えたことを特徴とするインサート。
【請求項２】
前記挿入口は、螺着部と同心円に形成されたことを特徴とする請求項１に記載のインサート。
【請求項３】
前記案内面は、挿入口から離間する側に凸となる湾曲面に形成されたことを特徴とする請求項１または請求項２に記載のインサート。
【請求項４】
前記案内面は、挿入口から螺着部に向けて直線状に傾斜し、その傾斜角度は４５度以上に設定されたことを特徴とする請求項１または請求項２に記載のインサート。
【請求項５】
前記案内面と螺着部との間に、内部にボルト体が挿通され、前記螺着部への螺着開始前に前記ボルト体を前記螺着部と同軸状態に起立させる筒段部が設けられたことを特徴とする請求項１乃至請求項４のいずれかに記載のインサート。
【発明の詳細な説明】
【技術分野】
【０００１】
本発明は、二重天井のコンクリートスラブやコンクリート壁等のコンクリート内に埋設され、吊ボルト等のボルト体が取着されるインサートに関するもので、特に、埋設後にコンクリート面に開口する挿入口から挿入されたボルト体を作業性良く螺着できるインサートに関するものである。
【背景技術】
【０００２】
従来より、コンクリート内に埋設されるインサートは、コンクリートの型枠に固定された後、コンクリートを打設し、硬化後に前記型枠を取外すことによってコンクリート内に埋設されている。このようにして埋設されたインサートには吊ボルトや工事用足場を形成するボルト等のボルト体がコンクリート面に開口する挿入口から挿入され、インサートの螺着部に螺着される。
【０００３】
ところが、前記インサートはコンクリート面から離間してコンクリートの内部に埋設されているところ、挿入口はインサートの螺着部とほとんど変わらない大きさに形成されている。したがって、挿入口の開口が小さいために、特にインサートがコンクリートスラブの天井等の高所に埋設されている場合は、ボルト体の端部を挿入口に位置合わせするのが困難で挿入に手間がかかり、ボルト体を作業性良くインサートに取着できなかった。
【０００４】
これに関して、実開平６−２０６０６号公報には、コンクリート面の挿入口をボルト体の外径より大きくしたものが記載されている。
【特許文献１】実開平６−２０６０６号公報
【発明の開示】
【発明が解決しようとする課題】
【０００５】
しかし、前記実開平６−２０６０６号公報において、コンクリート面の挿入口はボルト体の外径より大きいものの、その挿入口から内部に埋設されているインサートの螺着部までの間はコンクリートが露出する傾斜面に形成されている。このため、ボルト体の取着時に、挿入口から挿入されたボルト体の端部の雄ねじ部がコンクリート傾斜面と接触し、擦られる。このため、コンクリート傾斜面との滑りが悪くボルト体をインサートの螺着部まで円滑に挿入することができなかった。また、コンクリート傾斜面がボルト体の雄ねじ部によって削り取られてその削り粉が落下することがあるとともに、コンクリート傾斜面が荒れてその後にボルト体を付け替えたりするときにその挿入に支障をきたしていた。そして、強く擦られたときには、ボルト体のねじ山が潰れることもあった。
【０００６】
そこで、本発明は、ボルト体の取着において、挿入口へのボルト体の挿入が容易であるとともに、前記挿入口に挿入した後は、ボルト体の端部とコンクリートとの接触による摺動抵抗を受けず、コンクリートが前記接触によって削り取られることもなく、更に、ボルト体のねじ山が潰れることもなく、ボルト体の端部を螺着部に円滑に導くことができ、もって、ボルト体の取着の作業性を向上できるインサートの提供を課題とするものである。
【課題を解決するための手段】
【０００７】
請求項１のインサートは、コンクリート内に埋設され、ボルト体が取着されるものであって、コンクリート面から離間して設けられ、ボルト体が螺着される螺着部と、コンクリート打設時にコンクリート型枠に当接するとともに前記型枠除去後はコンクリート面に露出する当接面と、前記当接面に設けられ、前記ボルト体を前記当接面側から前記螺着部側に挿入可能で、前記螺着部より大きい開口を有する挿入口と、前記挿入口と前記螺着部との間に傾斜して設けられ、前記ボルト体の端部が前記挿入口から挿入された際、前記ボルト体の端部を前記螺着部に向けて移動させるべく案内する案内面とを備えている。
【０００８】
前記ボルト体は、吊ボルト、工事用足場を形成するボルトなど外周に雄ねじが形成され、コンクリートスラブの天井に吊設されたり、コンクリート壁に取着されるものである。前記螺着部はコンクリート面から離間したコンクリートの内部に設けられている。前記挿入口は円形、楕円形、矩形、多角形等任意の形状に形成できるが、少なくとも前記螺着部の直径より大きい開口を有する。これにより、ボルト体の端部を挿入口に挿入し易くなる。
【０００９】
前記案内面は、前記挿入口から挿入されたボルト体の端部を内部側に離れた位置に配設されている螺着部に導く案内として機能するものである。前記案内面は、挿入口の開口が螺着部より大きいことから傾斜面となっている。前記案内面はこのように形成されているので、ボルト体は挿入口に挿入されると、その端部は案内面に沿って移動し、螺着部まで導かれると同時に該螺着部への螺合を開始する。即ち、ボルト体の端部は内部への挿入過程において案内面に沿って自然と螺着部の開口まで導かれ、螺着部の開口内に円滑に入り込んで螺着される。なお、ボルト体を挿入口から挿入するときは、螺回動させつつ挿入してもよい。前記案内面は、半球殻状、椀状、ドーム状等の湾曲面や直線状の傾斜面など各種形状に形成することができる。
【００１０】
請求項２のインサートは、特に、挿入口が、螺着部と同心円に形成されており、円形の挿入口の中心軸と螺着部の中心軸とは一致している。
【００１１】
請求項３のインサートは、案内面が、挿入口から離間する側に凸となる湾曲面に形成されている。したがって、案内面は挿入口の周端部においてコンクリート面に対する傾斜角度が大きく急激に深くなっているので、ボルト体の端部が前記挿入口の周端部から挿入された場合でも、一旦、挿入口に挿入されると、前記ボルト体の端部は内部側に深く入り込み、挿入口から外れにくくなる。
【００１２】
請求項４のインサートは、案内面が、挿入口から螺着部に向けて直線状に傾斜し、その傾斜角度は４５度以上に設定されている。
【００１３】
請求項５のインサートは、案内面と螺着部との間に、内部にボルト体が挿通され、前記螺着部への螺着開始前に前記ボルト体を前記螺着部と同軸状態に起立させる筒段部が設けられている。即ち、案内面と螺着部との間には、案内面に沿って螺着部まで導かれたボルト体を一旦その中心軸が螺着部の中心軸と合致する起立姿勢に保持し、その後、螺着が開始されるよう、筒段部が介在する。前記筒段部は円筒状、多角筒状等に形成され、その内部はボルト体の外径とほぼ同一の大きさに形成される。但し、ボルト体を軸方向に沿って螺着部に適確に螺着できれば、螺着部との間にある程度の隙間があってもよい。
【発明の効果】
【００１４】
請求項１のインサートは、コンクリート面に開口する挿入口が螺着部より大きい開口を有するから、ボルト体の端部を挿入口に挿入し易い。
【００１５】
一方、挿入口が大きくなると、螺着部までの距離が長くなるが、請求項１のインサートは、前記挿入口と螺着部との間に、傾斜して、ボルト体の端部を前記螺着部に向けて移動させるべく案内する案内面が形成されているから、ボルト体を挿入口に挿入すれば、前記ボルト体は前記案内面に案内されて自ずと螺着部に円滑に導かれるとともに螺着を開始する。その結果、ボルト体をインサートに楽にかつ確実に取着することができ、特に、高所等の離れた位置に埋設されているインサートに対する取着作業においてその効果が大きい。
【００１６】
また、前記挿入口と螺着部との間に前記案内面を設けていることによって、ボルト体の端部を挿入口から挿入して螺着部に移動させるとき、前記ボルト体の端部はコンクリートには全く接触することなく移動するから、コンクリートとの接触による摺動抵抗を受けることなく円滑に螺着部に導いて取着することができるとともに、コンクリート面が接触により削り取られて削り粉が発生したりコンクリート面が荒れたりすることもなく、ボルト体のねじ山が潰れることもない。
【００１７】
請求項２のインサートは、特に、挿入口が、螺着部と同心円に形成されているから、挿入の方向性がなく、ボルト体を挿入口のどの方向からでも挿入でき、取付作業性が向上する。
【００１８】
請求項３のインサートは、案内面が挿入口から離間する側に凸となる湾曲面に形成され、挿入口の周端部において急に深くなるから、一旦、ボルト体の端部が挿入されると挿入口から外れにくい。その結果、ボルト体の端部を挿入口に円滑かつ確実に挿入できる。また、それに伴って、挿入口を大きく形成できるという効果も奏する。
【００１９】
請求項４のインサートは、案内面が直線状に傾斜し、その傾斜角度は４５度以上に形成されているから、案内面は直線状の傾斜面ではあるが、傾斜角度が大きいので、ボルト体の端部が挿入口の周端部から挿入された場合でも、挿入口から外れにくく、挿入口への挿入を円滑かつ確実に行なうことができる。
【００２０】
請求項５のインサートは、案内面と螺着部との間に、前記螺着部への螺着開始前に前記ボルト体を前記螺着部と同軸状態に起立させる筒段部が設けられているから、ボルト体が螺着部に対して斜めに挿入されることによって螺着不能となるのを防ぎ、ボルト体を螺着部の中心軸に合致させた状態で適確に螺着することができる。
【発明を実施するための最良の形態】
【００２１】
以下、本発明の実施形態を図に基づいて説明する。なお、本実施形態においては、二重天井のコンクリートスラブにボルト体として吊ボルトを吊設するためのインサートを例示する。ここで、図１は本発明の実施形態のインサートを示す斜視図、図２はその正面図、図３及び図４は断面図、図５及び図６は図１のインサートの組付図であり、図７及び図８は図１の釘保持部の拡大図である。
【００２２】
本実施形態のインサートは最終的には、図１４に示すように、インサート金具１１とベース体２１とが一体化された形態でコンクリートスラブ６４内に埋設されるものである。
図１乃至図８において、インサート１はインサート本体２と、前記インサート本体２に離脱可能に一体化され、釘５１をその軸部５２に沿って保持する図７及び図８に示した、合成樹脂製の釘保持部４１とで構成されている。前記インサート本体２は、図５及び図６に示すように、内部の螺着部１３に図１４に示す吊ボルトからなるボルト体６６が螺着される金属製のインサート金具１１と、合成樹脂の一体成形により形成されたベース体２１とを一体に組付けてなる。また、前記釘保持部４１は、合成樹脂の一体成形により前記インサート本体２の合成樹脂製のベース体２１と一体に形成し、コンクリート埋設の型枠取外し後に、連結部４６を破断して前記インサート本体２のベース体２１と分離するものとなっている。
【００２３】
前記インサート金具１１は、図５及び図６に示すように、円筒部１２と円盤状の鍔部１４とが一体に形成され、中心部に軸方向に沿って貫通孔１５が形成されている。前記円筒部１２の内面には、外周面に雄ねじを有する前記ボルト体６６が螺着される雌ねじからなる螺着部１３が形成されている。本実施形態においては、このインサート金具１１は釘保持部４１を介してベース体２１と一体化している。即ち、前記インサート金具１１は、後述するように、インサート金具１１の螺着部１３に釘保持部４１の螺合突部４４を螺合して両者を組付けるとともに、前記釘保持部４１をベース体２１とともに一体成形することによって該ベース体２１に離脱可能に連結することにより、ベース体２１と一体化し、インサート本体２を構成している。
【００２４】
前記インサート金具１１の鍔部１４は、下面が後述するベース体２１の補助支柱３０の頂部と当接し、これに支持されて水平姿勢を保つとともに、コンクリート打設後に抜け外れを防止するアンカーとして機能する。なお、前記ボルト体６６のねじ径は通常いわゆる３分用のＷ３／８及び４分用のＷ１／２のものが使用される。
【００２５】
次に、前記インサート本体２のベース体２１は、高さ方向のほぼ中央部に前記インサート金具１１の円筒部１２の下部を収容する金具収容スリーブ２２を備えるとともに、底部側にコンクリートの型枠６１と当接する当接面２４を有する正四角形状の当接板２３が設けられている。そして、前記当接板２３の中央には型枠６１側に開口する挿入口２５が形成されている。ここで、前記金具収容スリーブ２２の内径はインサート金具１１の円筒部１２の外径と略同一に形成されている。また、前記挿入口２５は前記螺着部１３とは同心円に形成されているとともに、インサート金具１１の円筒部１２の螺着部１３より大きい開口を有し、ペンチや後述する工具を挿入できるようになっている。なお、当接面２４は、当然であるが、型枠６１と密接すべく平坦面に形成されている。型枠６１と密接しない場合には、コンクリート打設時に、隙間からコンクリートのトロが侵入し、インサート１がコンクリート面に対して傾いた状態で埋設されるからである。
【００２６】
更に、前記金具収容スリーブ２２の下端周縁部からは前記当接板２３の当接面２４の挿入口２５に向けて半球殻状、椀状、ドーム状等の湾曲面をなす空間形成部２６が形成されている。前記空間形成部２６は内部に前記当接面２４の挿入口２５において開口する中空空間２７を形成するとともに、コンクリート打設時に、前記中空空間２７内にコンクリートが侵入するのを防止する。
【００２７】
そして、前記空間形成部２６において前記挿入口２５からインサート金具１１の螺着部１３に向かう内面は本発明の特徴とする案内面２８を形成している。この案内面２８は前記空間形成部２６の内面に形成されたものであるから、同じく半球殻状、椀状、ドーム状等の連続した湾曲面となっている。言い換えれば、前記案内面２８は挿入口２５から離間する側に凸となる湾曲面に形成されている。そして、前記挿入口２５はインサート金具１１の螺着部１３より大きな開口を有しているから、前記挿入口２５と前記螺着部１３との間で、傾斜するものとなっている。
【００２８】
前記案内面２８は、コンクリート埋設後にインサート１にボルト体６６を取着する際に、前記ボルト体６６の端部を螺着部１３に向けて移動させるべく案内する構成部として機能する。これにより、ボルト体６６の端部が当接面２４の挿入口２５において中心から外れた周端部から挿入されても、前記ボルト体６６の端部は案内面２８に当接しながらその面に沿って中央側に移動し、螺着部１３内に導かれる。なお、前記案内面２８はこのように機能するものであるから、ベース体２１はできる限り滑り性の良い材質で形成するのが望ましい。
【００２９】
前記金具収容スリーブ２２の下端周縁部と空間形成部２６との境界部の内面には、該内面に沿って、図３、図４等に示すように、僅かに中心側に突出する環状突部２９が設けられており、その先端縁部は、後述する、釘保持部４１の連結用突部４５に形成された連結部４６と離脱可能に連結している。これらの連結部分を介して、前記ベース体２１と釘保持部４１とは合成樹脂の一体成形により一体に形成されている。
【００３０】
前記インサート１の左右両側には、前記ベース体２１の当接板２３と空間形成部２６との接合部上に一対の補助支柱３０が立設されている。前記一対の補助支柱３０は、前述のように、その上端面がインサート金具１１の鍔部１２の下面と当接して支持するとともに、該インサート金具１１の鍔部１２を水平姿勢に保つ。
【００３１】
一方、前記インサート本体２に離脱可能に連結されてインサート１を形成する前記釘保持部４１は、図７及び図８に示すように、筒状部４２で形成され、その内部には上下に貫通し、釘５１が挿通される貫通孔４３が設けられている。前記貫通孔４３は軸方向のほぼ中間位置で段差が形成され、上半部における上部開口の内径ｄ１は釘５１の軸部５２より僅かに小さく形成され、前記段部における開口の内径ｄ２はそれより更に小さく形成されて、上部開口から段部に向かうに従って内径は直線的に小さくなっている。これにより、釘５１は貫通孔４３の上部開口から挿入され、上半部に圧入されることによって釘保持部４１に強固に保持されるようになっている。
【００３２】
前記釘保持部４１の軸方向のほぼ中間位置における筒状部４２の外周面には互いに反対側の２箇所に周方向沿って所定長さの一対の螺合突部４４が突設されている。前記螺合突部４４は１ピッチ分の雄ねじに形成されていて、前記インサート金具１１の円筒部１２の螺着部１３に螺合して、釘保持部４１が前記インサート金具１１に取着されるようになっている。
【００３３】
また、前記釘保持部４１の筒状部４２の外周面における前記螺合突部４４より下方には周方向に沿って所定長さの一対の連結用突部４５が一体に突設されており、更に、この連結用突部４５には前記ベース体２１の環状突部２９と連結する連結部４６が形成されている。前記連結部４６は、図７に示すように、前記一対の連結用突部４５において、それぞれの先端周縁に周方向に間隔をおいて複数の小さい接合凸部が形成されるとともに、該接合凸部に切欠４７が形成され、この部分で破断される構造となっている。即ち、釘保持部４１はこのような構造を有する連結部４６を介して前記ベース体２１つまりはインサート本体２に離脱可能に連結されている。前記釘保持部４１をインサート本体２から離脱させるためには、ベース体２１に対して釘保持部４１をその中心軸を軸に回動することによって前記連結部４６の切欠４７の形成部分を周方向に破断して行なうことができる。
【００３４】
前記釘保持部４１の筒状部４２において前記連結用突部４５より更に下方の部分はインサート本体２の中空空間２７内に突出する突出部４８となっており、この突出部４８は六角柱状に形成されている。但し、前記突出部４８は六角柱状に限られるものではない。
【００３５】
次に、コンクリートを打設してから型枠６１を取外した後、釘保持部４１をコンクリートに埋設されたインサート本体２から離脱させるための工具を説明する。これに使用する工具としては通常のペンチやプライヤ等の挟持工具を使用してインサート本体２の中空空間２７内の前記釘保持部４１の突出部４８を挟持し、回動させて離脱させることもできるが、図９、図１０及び図１２に示す釘保持部除去工具７１を使用すると便利である。この釘保持部除去工具７１は釘保持部４１の突出部４８の外面に係止する係止部７３を備えた円筒状の工具本体７２と、一端側が前記工具本体７２に連結された延長棒部材８１とで構成されている。
【００３６】
前記工具本体７２の係止部７３は該工具本体７２の上端部に形成されており、内部に前記釘保持部４１の突出部４８が挿入される係止孔７４を有している。前記係止孔７４は前記釘保持部４１の筒状部４２の突出部４８の形状に対応して断面が六角形状に形成されている。一方、前記延長棒部材８１は長尺な筒状或いは丸棒状の柄部８２で形成され、一端側は前記ねじ７７を介して工具本体７２に着脱自在に連結されており、他端側は手で把持可能な把持部８３を形成している。前記釘保持部除去工具７１はこのように形成されているので、延長棒部材８１の把持部８３を把持して、インサート１の釘保持部４１の下方から工具本体７２の係止部７３をインサート本体２の中空空間２７に突出している前記釘保持部４１の筒状部４２の突出部４８に外嵌し、係止させて前記釘保持部４１をその中心軸を軸に回動させることができる。なお、前記釘保持部除去工具７１は連結用のねじ７７を緩めて延長棒部材８１を取外し、工具本体７２単独で使用することもできる。
【００３７】
次に、上記のように構成された本実施形態のインサート１をコンクリートに埋設する方法を図１１乃至図１３に基づいて説明する。
まず、図１１(a)に示すように、型枠６１に打ち込まれる釘５１は、頭部５３及び軸部５２の一部がインサート本体２から上方に突出し、前記釘５１の先端部５４は前記当接面２４の挿入口２５から型枠６１側に突出しない状態で、釘保持部４１内に保持させておく。そして、その状態で、インサート１の当接面２４を型枠６１の片面に当接させる。
【００３８】
次に、図１１(b)に示すように、ハンマー等の工具で釘５１の頭部５３を叩打し、軸部５２の一部及び先端部５４を型枠６１に打ち込む。釘５１を打ち込んだ後は、図１１(c)に示すように、型枠６１上にコンクリートを打設する。ここで、インサート１には空間形成部２６が設けられているので、コンクリートが中空空間２７に侵入するのが防止される。
【００３９】
そして、コンクリートが硬化したら、図１１(d)に示すように、型枠６１を取外す。このとき、釘保持部４１は螺合突部４４がインサート金具１１の螺着部１３に螺合し、強固に取着されているので、前記型枠６１を下方に取外しただけでは該型枠６１についていかず、釘５１とともにインサート本体２側にそのまま保持される。型枠６１が取外されると、インサート１はコンクリートスラブ６４内に埋設され、当接面２４がコンクリート面６５から露出し、中空空間２７が挿入口２５を通して外部に臨むこととなる。
【００４０】
型枠６１を取外した後は、コンクリート面６５から外部に突出している釘５１を除去するため、図１２に示すように、前記釘保持部除去工具７１を使用して、コンクリートスラブ６４内に埋設されているインサート１から釘保持部４１を釘５１と一体に離脱させる。具体的には、まず、図１２(a)に示すように、インサート１の下方から前記釘保持部除去工具７１を近接させる。次いで、図１２(b)に示すように、前記釘保持部除去工具７１の係止部７３の係止孔７４をインサート１の中空空間２７内に突出している釘保持部４１の突出部４８に外嵌し、係止させる。このとき、前記釘保持部除去工具７１は工具本体７２に延長棒部材８１が連結された長尺なものであるから、インサートがコンクリートスラブ６４の天井等の高所に埋設されている場合でも、梯子や脚立に登ることなく床面に立った姿勢で遠隔操作により係止部７３を係止させることができる。
【００４１】
次に、釘保持部除去工具７１の係止部７３を釘保持部４１の突出部４８に係止させたら、前記釘保持部除去工具７１の把持部８３を回動し、前記釘保持部４１をその中心軸を軸に回動する。すると、回動による周方向の力により、釘保持部４１の連結部４６は切欠４７の形成部において剪断による破断を生じ、釘保持部４１はベース体２１から分離される。連結部４６が破断した後は、更に回動を継続することにより、インサート金具１１の螺着部１３と釘保持部４１の螺合突部４４との螺合が解除され、前記釘保持部４１はインサート本体２から離脱可能な状態となる。
【００４２】
なお、釘保持部４１ではなく釘５１の突出している先端部５４をペンチやプライヤ等の工具で掴持して釘５１を釘保持部４１とともに取外すことも可能であるが、釘５１は細径かつ円柱状であるため、滑って掴持しにくく、掴みが滑ったときには反動で怪我をすることもあり危険である。その点、前記釘保持部除去工具７１を使用し、釘保持部４１を回動させて離脱させる場合はそのような不具合がない。但し、前記不具合がなければ、前記ペンチ等の工具で釘５１を掴持して釘保持部４１とともに除去しても何ら差し支えない。
【００４３】
釘保持部４１が離脱可能な状態となったら、図１３に示すように、釘保持部除去工具７１を引下げれば、釘保持部４１は、自重により前記釘保持部除去工具７１の係止部７３に載置された状態で、或いは、係止孔７４内への圧入により前記係止部７３に保持された状態で、釘５１とともにインサート本体２から離脱し、下方に引出される。以上により、インサート１は釘保持部４１及び釘５１が除去された状態でコンクリートスラブ６４内に埋設され、施工が完了する。
【００４４】
次に、天井など高所のコンクリートスラブ６４内に埋設された本実施形態のインサート１にボルト体６６が下方から取着されるときの状態を図１４に基づいて説明する。
今、ボルト体６６の端部６７はインサート１の挿入口２５においてその中心から離れた周端部から挿入されるものとする。まず、図１４(a)で、ボルト体６６は下方からインサート１の挿入口２５に向けて押上げられる。
【００４５】
そして、前記ボルト体６６の端部６７が挿入口２５内に挿入されると、図１４(b)に示すように、前記ボルト体６６の端部６７はインサート１の空間形成部２６内の案内面２８に当接する。そこで、更に、押上げられると、前記空間形成部２６の案内面２８は半球殻状の湾曲面に形成され、螺着部１３の下面周端部に向けて傾斜しているので、前記ボルト体６６の端部６７は前記案内面２８に沿って移動し、図１４(c)に示すように、螺着部１３の直下に導かれる。このとき、案内面２８は空間形成部２６に形成されているので、ボルト体６６の端部６７はコンクリートに接触することがなく、したがって、案内面２８に沿って円滑に移動する。その後、ボルト体６６は螺着部１３の下端開口に挿入され、図１４(d)に示すように、前記螺着部１３に螺着される。ここで、ボルト体６６はその先端角部が面取加工によりテーパ面に形成されていると、螺着部１３の開口内への挿入がより容易となる。
【００４６】
次に、本実施形態のインサート１の作用を説明する。
まず、インサート１は、コンクリート面６５に開口する挿入口２５がインサート金具１１の螺着部１３より大きい開口を有するから、ボルト体６６の端部６７を前記挿入口２５に挿入し易い。
【００４７】
次に、挿入口２５の開口が大きくなると、ボルト体６６の端部６７の挿入位置から螺着部１３までの距離が長くなるが、本実施形態のインサート１は、空間形成部２６における前記挿入口２５と螺着部１３との間の内面が、傾斜して、ボルト体６６の端部６７を前記螺着部１３に向けて移動させるべく案内する案内面２８に形成されているから、ボルト体６６を挿入口２５に挿入すれば、前記ボルト体６６は案内面２８に案内されて円滑に螺着部１３に導かれ、螺着が開始される。なお、ボルト体６６を挿入口２５に挿入するとき、螺回動しつつ挿入してもよい。ここで、ボルト体６６は回動させつつ螺着部１３に移動させると、自然と前記螺着部１３の直下まで導かれるとともに螺着が開始されることが試作トライにおいて確認されている。その結果、ボルト体６６をインサート１に円滑かつ確実に取着することができ、特に、高所等の離れた位置に埋設されているインサート１への取着作業においてその効果は大きい。
【００４８】
そして、空間形成部２６において前記挿入口２５と螺着部１３との間に前記案内面２８を設けていることによって、ボルト体６６の端部６７を挿入口２５から挿入して螺着部１３に移動させるときに、前記ボルト体６６の端部６７はコンクリートには一切接触することなく案内面に沿って移動するから、コンクリートとの接触による摺動抵抗を受けずに円滑に螺着部１３に導いて取着できるとともに、コンクリート面が接触により削り取られて削り粉が発生したりコンクリート面が荒れたりすることもなく、ボルト体６６のねじ山が潰れることもない。
【００４９】
更に、挿入口２５が、螺着部１３と同心円に形成されているから、挿入の方向性がなく、ボルト体６６を挿入口２５の任意方向から挿入でき、取付作業性が向上する。
【００５０】
加えて、特にインサート１が高所に埋設されていて離れた位置からボルト体６６の取着操作を行なう場合に、挿入口２５より奥側の傾斜面の傾斜が小さいと、一旦、ボルト体６６の端部６７を挿入口２５から挿入しても再び該挿入口２５の外に外れ易く収容安定性に欠けるところ、本実施形態のインサート１は、前記空間形成部２６が半球殻状の湾曲面に形成され、つまり案内面２８は挿入口２５から離間する側に凸となる湾曲面に形成されており、挿入口２５の周端部において急に奥側に深くなっている。このため、一旦、挿入されるとボルト体６６の端部６７は中空空間２７の奥側まで導かれて収まり具合がよく挿入口２５から外れにくい。これにより、挿入口２５への挿入を円滑に行なうことができる。また、それに伴って、挿入口２５を大きく形成できる。
【００５１】
次に、別の実施形態のインサート１を図１５に基づいて説明する。
図１５において、インサート１は、案内面２８と螺着部１３との間に、内部にボルト体６６が挿通される所定長さの円筒状の筒段部３１が形成されている。前記筒段部３１は、その内径がボルト体６６の外径と略同一に形成されているとともに、中心軸６８は螺着部１３の中心軸１６と一致している。
【００５２】
このように形成された筒段部３１は、挿入口２５から挿入されたボルト体６６の端部６７が案内面２８の案内によって螺着部１３の直下に導かれた後、内部に挿通される。すると、筒段部３１は、内径がボルト体６６と略同一であって、螺着部１３と同軸に形成されているから、内部に挿通されたボルト体６６を前記螺着部１３と同軸状態に起立させる。その結果、その後のボルト体６６の螺着部１３への螺着を円滑かつ確実に行なうことができ、ボルト体６６が螺着部１３に斜め方向から挿入されることによって螺着が不能となるのを防止できる。
【００５３】
なお、前記筒段部は円筒状に限らず、多角筒状等に形成してもよい。また、ボルト体６６を軸方向に沿って螺着部１３に適確に螺着できれば、螺着部１３との間にある程度の隙間があってもよい。この実施形態のインサートは請求項５の態様に相当する。
【００５４】
ところで、上記実施形態の挿入口２５は、螺着部１３と同心円に形成しているが、これに限られるものではなく、円中心は螺着部１３の中心軸と一致していなくてもよい。また、前記挿入口２５の開口は円形ではなく、楕円形や正方形、長方形、六角形等の多角形であってもよい。
【００５５】
更に、上記実施形態の案内面２８は、挿入口２５から離間する側に凸となる湾曲面であって半球殻状等の面に形成しているが、これに限られるものではなく、例えば、図１６(a)に示すように、略Ｓ字状の断面を有し、螺着部１３に近い部分が挿入口２５側に凸となる湾曲面となっていて、挿入口２５の開口が図１等に示した上記実施形態のインサート１より更に大きくなっている形状とすることもできる。この場合、特に、案内面２８において螺着部１３に近い部分が挿入口２５側に凸となる湾曲面に形成され、該螺着部１３の下端開口に集束するような湾曲面となっているので、前記案内面２８に沿って移動するボルト体６６の端部６７は前記湾曲面に沿って滑らかに螺着部１３の直下に導かれる。
【００５６】
また、案内面２８は、図１６(b)に示すように、空間形成部２６を円錐台或いは角錐台に形成し、挿入口２５から螺着部１３にかけての傾斜面が直線状のものとすることも可能である。但し、図１６(b)における傾斜角度イが小さいと、前述のように、特に高所に埋設されたインサート１の挿入口２５に挿入するときに、挿入口２５内へのボルト体６６の端部６７の収まり具合が悪く開口から外れ易いので、その傾斜角度イは４５度以上に設定するのが望ましい。なお、この実施形態は、請求項４の態様に相当する。
【００５７】
そして、前記案内面２８は、更に、挿入口２５側から螺着部１３の下端周縁部に向けて集束する複数の小さい突条を放射状に設けてもよい。この場合、挿入口２５から挿入されたボルト体６６の端部６７は前記案内面２８上の突条に沿って中央側に集束し螺着部１３側に導かれ易くなる。また、上記実施形態のインサート１は、案内面２８と螺着部１３との境界部分に磁石等の磁性体を埋設してもよく、これにより、金属製のボルト体６６は磁性体に引張られて螺着部１３の直下に導かれ易くなる。
【００５８】
なお、上記実施形態のインサート１は、インサート金具１１とベース体２１とを組付けてなるが、合成樹脂の一体成形等によって一体に形成することもできる。また、前記インサート金具１１の鍔部１４は、円盤状に形成しているが、この形状に限られるものではない。
【００５９】
そして、前記インサート１は、コンクリート打設時に型枠６１に１本の釘５１を使用して固定するものを示しているが、これに限られるものではなく、複数本の釘５１を使用して固定するものにも同様に適用できる。また、前記インサート１は、型枠６１に固定する前、釘５１は型枠６１側に突出しないものであるが、予め型枠６１側に突出しているものであってもよい。
【００６０】
なお、上記実施形態では、二重天井のコンクリートスラブ６４内にボルト体６６としての吊ボルトを吊設するためのインサートを示したが、コンクリート壁に工事用足場を形成するボルトを取着するためのインサートなど各種インサートにも同様に適用することができる。
【図面の簡単な説明】
【００６１】
【図１】本発明の実施形態のインサートを示す斜視図である。
【図２】図１のインサートの正面図である。
【図３】図１のＡ−Ａ切断線による断面図である。
【図４】図１のＢ−Ｂ切断線による断面図である。
【図５】図１のインサートを形成する状態を示す分解斜視図である。
【図６】図５の断面図である。
【図７】図５の釘保持部を示す拡大断面図である。
【図８】図７の釘保持部を示す拡大斜視図である。
【図９】本発明の実施形態のインサートの釘保持部除去工具を示す正面図である。
【図１０】図９の工具本体の斜視図である。
【図１１】図１のインサートの埋設方法を示す断面図であり、(a)はインサートを型枠に据付ける状態を示し、(b)は型枠に釘を打ち込んだ状態、(c)はコンクリートを打設した状態、(d)は型枠を取外す状態を示す。
【図１２】脱型後、図３のインサート本体から釘保持部を離脱させる方法を示す断面図であり、(a)はインサートの下方から釘保持部除去工具を近接させる状態を示し、(b)は釘保持部除去工具の係止部を釘保持部の筒状部に係止させた状態を示す。
【図１３】図１２のインサート本体から釘保持部を離脱させた状態を示す断面図である。
【図１４】コンクリート埋設された本実施形態のインサートにボルト体が取着される状況を示す断面図であり、(a)はボルト体がインサートの挿入口に近接した状態を示し、(b)は挿入口から挿入されたボルト体の端部が案内面に案内されて螺着部側に移動する状態、(c)はボルト体の端部がインサートの螺着部の直下に到達した状態、(d)はインサートの螺着部へのボルト体の取着が完了した状態を示す。
【図１５】本発明の実施形態における別のインサートを示す断面図である。
【図１６】本発明の実施形態のインサートの変形例を示す断面図であり、(a)は挿入口が広いもの、(b)は案内面が直線状に傾斜したものを示す。
【符号の説明】
【００６２】
１  インサート
１３  螺着部
１６、６８  中心軸
２１  ベース体
２４  当接面
２５  挿入口
３１  筒段部
６１  型枠
６４  コンクリートスラブ
６５  コンクリート面
６６  ボルト体
６７  端部
【図１】
2008075396.tif 000003
【図２】
2008075396.tif 000004
【図３】
2008075396.tif 000005
【図４】
2008075396.tif 000006
【図５】
2008075396.tif 000007
【図６】
2008075396.tif 000008
【図７】
2008075396.tif 000009
【図８】
2008075396.tif 000010
【図９】
2008075396.tif 000011
【図１０】
2008075396.tif 000012
【図１１】
2008075396.tif 000013
【図１２】
2008075396.tif 000014
【図１３】
2008075396.tif 000015
【図１４】
2008075396.tif 000016
【図１５】
2008075396.tif 000017
【図１６】
2008075396.tif 000018